(57)【要約】      （修正有）【解決手段】座布団Ａに保護用布部１（着脱可能でもよい）を設けたことを特徴とする座布団または座布団カバーである。座布団または座布団カバーの形状、また保護用布部の形状は特に限定されない。円形、正方形、長方形などあらゆる形状の座布団または座布団カバーに利用でき、用途に応じて適宜調整される。【効果】自転車の子供乗せで利用する座布団または座布団カバーによれば、その連結または縫い付けられた保護用布部は、子供の股下から出てくるようになっていて、子供が座った際に股下から出てきた保護用布部を大腿部や腹部に掛けることができ、防寒の役割を果たし、連結または縫い付けてあることで、保護用布部だけが落ちることを防止する。ベビーカーにおいても、例えば、座布団または座布団カバーの二辺にそれぞれ連結または縫い付けられた布部のうち一つを、乳児の背部に当てることで汗取りの役割を果たし、もう一つをおなかに掛けると、クーラーなどからの防寒の役割を果たす。【選択図】図１
0003104603.tif 000002
【実用新案登録請求の範囲】
【請求項１】
保護用の布部を設けたことを特徴とする座布団、または座布団カバー
【請求項２】
布部が着脱可能であることを特徴とする座布団、または座布団カバー
【考案の詳細な説明】
【技術分野】
【０００１】  本考案は、保護用布部を設けた座布団、または座布団カバーに関するものである。
【背景技術】
【０００２】  座布団を使うような場面、例えば自転車の子供乗せに利用する際、冬は子供が風にさらされて寒いので、掛け物を別途用意して利用していた。またベビーカー、チャイルドシート、車椅子などにおいても、同じように別途掛け物を用意して利用していた。また夏には、汗取り用に背部に別途タオルを敷いたりしていた。
【考案の開示】
【考案が解決しようとする課題】
【０００３】  座布団と掛け物を別々に利用すると、自転車やベビーカーでは、掛け物がずり落ちてタイヤに巻き込まれる心配があったり、乗り降りする際の置き場所に困ったり、持ち運びが不便で荷物がかさんだりしていた。またチャイルドシートでは、掛け物がずり落ちることで、ドアの開閉の際にはさんでしまうなどの問題があった。汗取り用に別途タオルを敷いていても、子供が動くことで、ずり落ちることがあった。
また、車椅子などで掛け物を使用していても、乗り降りする際に、その掛け物を一時置く場所に困り、万が一落としたときに、体が不自由な人がその掛け物を拾う作業は難しく、他人の助けを要することもあった。
【課題を解決するための手段】
【０００４】  本考案は、座布団に保護用布部（着脱可能でもよい）を設けたことを特徴とする座布団または座布団カバーである。座布団または座布団カバーの形状、また保護用布部の形状は特に限定されない。円形、正方形、長方形などあらゆる形状の座布団または座布団カバーに利用でき、用途に応じて適宜調整される。【０００５】  保護用布部とは、生地、大きさ、長さを特に限定されず、取り付け方法は縫い付けるほか、ボタン、ファスナー、スナップなど止め具で連結可能にし、着脱可能にするとさらに良い。保護用布部の取り付け部位も、座布団または座布団カバーの一箇所に限らず、何箇所でも付けることが可能であり、用途により調整できる。
【考案の効果】
【０００６】  本考案に係る、例えば、自転車の子供乗せで利用する座布団または座布団カバーによれば、その連結または縫い付けられた保護用布部は、子供の股下から出てくるようになっていて、子供が座った際に股下から出てきた保護用布部を大腿部や腹部に掛けることができ、防寒の役割を果たし、連結または縫い付けてあることで、保護用布部だけが落ちることを防止する。【０００７】  掛け物は、より大きいほど防寒機能はより果たせるので、その際は一辺が座布団または座布団カバーよりも長い掛け物の一辺にギャザーをよせることで、座布団または座布団カバーに連結またはつなげることが出来る。また幅が広いものを使用することで、長さが短くても十分子供を覆うことが出来、タイヤ部分まで掛け物が垂れ下がることがなく、タイヤに掛け物を巻き込む心配がない。【０００８】  ベビーカーにおいても、例えば、座布団または座布団カバーの二辺にそれぞれ連結または縫い付けられた布部のうち一つを、乳児の背部に当てることで汗取りの役割を果たし、もう一つをおなかに掛けると、クーラーなどからの防寒の役割を果たす。またはその各二枚の保護用布部が乳幼児の左右から出るように使用すれば、体をくるむことができ、防寒機能がより期待できる。【０００９】  保護用布部が連結または縫い付けてあることで、落下などの心配を軽減できる。また、別途掛け物を利用した場合は、乗り降りの際に、その掛け物を置く場所が必要となり手間がかかるが、保護用布部が座布団または座布団カバーに、連結または縫い付けてあることから、保護用布部が落ちることを気にすることなく、また掛け物の置き場所を確保することなく、乳幼児を乗せたり、下ろしたりすることが容易になる。【００１０】  また、椅子、チャイルドシート、車椅子などで利用する際は、例えば正方形の座布団または座布団カバーの一辺を通る長方形の保護用布部を背部、肩部から体に掛けることで防寒の役割を果たし、さらに座布団または座布団カバーの裏から他の三辺を覆うようにつけられた保護用布部を、椅子、チャイルドシート、車椅子などに座っている人の大腿部あたりの左右から足に掛け、防寒の役割を果たす。【００１１】  本考案にかかる座布団または座布団カバーが保護用布部と連結または縫い付けられていることから、普段、体の前から掛け物を掛けて使用する時と違い、椅子、チャイルドシート、車椅子などと体の間の隙間がなくなり、より防寒機能が果たせる。また、保護用布部が落ちるという心配も軽減する。【００１２】  また、一枚の保護用布部の上に座布団または座布団カバーを止め具で取り付ける、または縫い付けることで、上記のような車椅子で使用する際に防寒機能を高めると同時に、左右両側から数人の人で保護用布部を持ち上げることで、車椅子に乗っている人を移動することも出来る。
【考案を実施するための最良の形態及び実施例】
図１は、本考案の実施例１に係る保護用布部付き座布団または座布団カバーの平面図、図２は、同実施例２に係る保護用布部付き座布団または座布団カバーの平面図、図３は、同実施例３に係る保護用布部付き座布団または座布団カバーの平面図、図４は、同実施例４に係る保護用布部付き座布団または座布団カバーの平面図、図５は、同実施例５に係る保護用布部付き座布団または座布団カバーの平面図である。図６は、同実施例６に係る保護用布部付き座布団または座布団カバーの平面図である。図７は、同実施例６に係る保護用布部付き座布団または座布団カバー（図６）の断面図である。
【００１３】  実施例１として、例えば、自転車の前後子供乗せで利用する際は、正方形の座布団または座布団カバー本体（Ａ）の一辺（ａ）に、長方形の保護用布部（１）を連結、または縫い付けておく。その保護用布部は、座布団または座布団カバーの一辺よりも、一辺が長いものを使用する場合は、ギャザーを寄せるなどして連結させる、または縫い付ける。
【００１４】  実施例２として、実施例１にある保護用布部の布の先端に例えば、ひも、ぼたんなど止め具を設け、長方形の保護用布部（１）のうち、座布団または座布団カバー本体（Ａ）と連結または縫い付けられていない側の一辺の両端二点（ｂ、ｃ）と、同じく、正方形の座布団または座布団カバー本体（Ａ）のうち、保護用布部（１）と連結または縫い付けられていない一辺の両端二点（ｄ、ｅ）に止め具をつけ、それぞれ（ｂとｄ、ｃとｅ）を止められると、保護用布部は固定され、風で保護用布部が飛ばされるなどの心配も軽減する。
【００１５】  他にもベビーカーで使用する際の一例として、長方形の座布団または座布団カバー本体（Ｂ）の向かい合う二辺（ｆ、ｇ）に、形状にこだわらない保護用布部（２、３）を連結または縫い付け（実施例３）、ベビーカーのマットに使用し、その上に乳幼児を乗せる。保護用布部（２、３）を、乳幼児の左右から出して、乳幼児に掛けたり、包む。
【００１６】  また、椅子、チャイルドシート、車椅子などで利用する一例として、円形の座布団または座布団カバー本体（Ｃ）の裏に、円の中心を通るように長方形の保護用布部（４、５）を二枚縫いつけ、または連結させる（実施例４）。正方形の座布団または座布団カバー本体（Ｄ）なら、一辺を通る長方形の保護用布部（６）を連結または縫い付け、さらに座布団の裏にその他の三辺を覆うような大きさの長方形の保護用布部（７）を連結または縫い付ける（実施例５）。
【００１７】  一枚の長方形の保護用布部（８）の中心付近に、座布団または座布団カバー本体（Ｅ）を重ねて連結、または縫い付け（実施例６）、実施例３、実施例４、実施例５と同じような使用方法を得られる。
【図面の簡単な説明】
【００１８】
【図１】本考案の実施例１に係る保護用布部付き座布団または座布団カバーの平面図である。
【図２】本考案の実施例２に係る保護用布部付き座布団または座布団カバーの平面図である。
【図３】本考案の実施例３に係る保護用布部付き座布団または座布団カバーの平面図である。
【図４】本考案の実施例４に係る保護用布部付き座布団または座布団カバーの平面図である。
【図５】本考案の実施例５に係る保護用布部付き座布団または座布団カバーの平面図である。
【図６】本考案の実施例６に係る保護用布部付き座布団または座布団カバーの平面図である。
【図７】本考案の実施例６に係る保護用布部付き座布団または座布団カバー（図６）の断面図である。
【符号の説明】
【００１９】（Ａ）座布団または座布団カバー本体
（１）保護用布部
（ａ）座布団または座布団カバーの一辺
（ｂ）止め具
（ｃ）止め具
（ｄ）止め具
（ｅ）止め具
（Ｂ）座布団または座布団カバー本体
（２）保護用布部
（３）保護用布部
（ｆ）座布団または座布団カバーの一辺
（ｇ）座布団または座布団カバーの一辺
（Ｃ）座布団または座布団カバー本体
（４）保護用布部
（５）保護用布部
（Ｄ）座布団または座布団カバー本体
（６）保護用布部
（７）保護用布部
（Ｅ）座布団または座布団カバー本体
（８）保護用布部
【図１】
0003104603.tif 000003
【図２】
0003104603.tif 000004
【図３】
0003104603.tif 000005
【図４】
0003104603.tif 000006
【図５】
0003104603.tif 000007
【図６】
0003104603.tif 000008
【図７】
0003104603.tif 000009